(57)【要約】【課題】  １つの貯湯タンク２３に複数台並列に接続した給湯器１〜３内の空気を、確実に抜く。【解決手段】  給湯器１〜３に備えられ、給湯用水の流量を可変可能なポンプ１９〜２１と、ポンプ１９〜２１の作動を制御するＥＣＵ２６〜２９とを備え、ＥＣＵ２６〜２９は空気抜き制御として、空気抜きを行う給湯器１〜３は給湯用水の流量を多くして流通させ、他の給湯器１〜３は給湯用水の流量を少なくして流通させる空気抜き循環を、所定時間毎に給湯器１〜３に対して順次行う。  これにより、空気抜きを行う給湯器１〜３以外の給湯器１〜３は、空気が流入することを防止しつつ、空気抜きを行う給湯器１〜３は内部の空気を確実に排出するようにしている。そして、この空気抜き循環を複数台の給湯器１〜３について所定時間毎に順次行うことにより、並列型複数給湯器内の空気を確実に抜くことができる。【選択図】    図３
2006029658.tif 000002
【特許請求の範囲】
【請求項１】
低温側の熱を高温側に移動させる蒸気圧縮式のヒートポンプサイクルにて給湯用水を加熱する給湯器（１〜３）を、１つの貯湯タンク（２３）に複数台並列に接続して成る並列型複数給湯器において、
前記給湯器（１〜３）に滞留する空気を抜くための空気抜き制御であり、
前記給湯器（１〜３）に備えられ、給湯用水の流量を可変可能なポンプ（１９〜２１）と、
前記ポンプ（１９〜２１）の作動を制御する制御手段（２６〜２９）とを備え、
前記制御手段（２６〜２９）は空気抜き制御として、空気抜きを行う前記給湯器（１〜３）は給湯用水の流量を多くして流通させ、他の前記給湯器（１〜３）は給湯用水の流量を少なくして流通させる空気抜き循環を、所定時間毎に前記給湯器（１〜３）に対して順次行うことを特徴とする並列型複数給湯器。
【請求項２】
低温側の熱を高温側に移動させる蒸気圧縮式のヒートポンプサイクルにて給湯用水を加熱する給湯器（１〜３）を、１つの貯湯タンク（２３）に複数台並列に接続して成る並列型複数給湯器において、
前記給湯器（１〜３）に滞留する空気を抜くための空気抜き制御であり、
前記給湯器（１〜３）に備えられ、給湯用水の流量を可変可能な流量調整手段（３０〜３２）と、
前記貯湯タンク（２３）に備えられ、給湯用水を循環させるポンプ（１９）と、
前記流量調整手段（３０〜３２）と前記ポンプ（１９）との作動を制御する制御手段（２６〜２９）とを備え、
前記制御手段（２６〜２９）は空気抜き制御として、空気抜きを行う前記給湯器（１〜３）は給湯用水の流量を多くして流通させ、他の前記給湯器（１〜３）は給湯用水の流量を少なくして流通させる空気抜き循環を、所定時間毎に前記給湯器（１〜３）に対して順次行うことを特徴とする並列型複数給湯器。
【請求項３】
前記給湯器（１〜３）毎に空気抜き時の流量を設定したことを特徴とする請求項１または請求項２に記載の並列型複数給湯器。
【請求項４】
前記給湯器（１〜３）毎に空気抜きにかける所定時間を設定したことを特徴とする請求項１または請求項２に記載の並列型複数給湯器。
【発明の詳細な説明】
【技術分野】
【０００１】
本発明は、１つの貯湯タンクに複数の給湯器を並列に接続して給湯能力を増大させた並列型複数給湯器に関するものであり、特に、設置時などに給湯器に滞留する空気を抜くための空気抜き制御に関するものである。
【背景技術】
【０００２】
従来、複数の給湯器を並列に接続することにより、個々の給湯器の備えた給湯能力の範囲（例えば、最小出湯量から最大出湯量までの範囲）を増大させることが行われており、このような並列型複数給湯器として、例えば特許文献１に示すものがある。ちなみに特許文献１に示す実施例は、加熱源にバーナを備えたガス給湯器であり、元給水路から給湯路にかけて、各給湯器の水配管には水道圧が直接掛かる直圧式である。
【０００３】
しかし、加熱源にヒートポンプサイクルを用いて貯湯タンクに貯湯しながら給湯する貯湯式給湯器においては、施工時にタンクユニットと各ヒートポンプユニットとの間の水回路内に空気が入ってしまう。空気が配管内や給水ポンプ内にあると給湯用水が循環しないため、この空気を抜く操作が必要となる。これは、上記した直圧式のシステムでは水回路内の空気は給湯路側へ全て押し出されてしまうため問題にはならず、貯湯タンクを介している貯湯式給湯器特有の操作である。
【０００４】
空気を無くして全て水とするには、給水ポンプを回して空気を貯湯タンクへ吐き出す空気抜き操作を行う必要がある。そのため、貯湯タンクの上部には大気開放弁が設けられており、施工時は空気抜き操作をしながら大気開放弁を手動で開くことで、貯湯タンク上部に溜った空気は大気開放弁より外部に抜ける構造となっている。
【特許文献１】特開平６−２８８６２１号公報
【発明の開示】
【発明が解決しようとする課題】
【０００５】
図８は、従来の問題点を示す並列型複数給湯器の概略模式図である。図８に示すように、１つの貯湯タンク２３に複数のヒートポンプ式給湯器１〜３を並列に接続した場合、施工状態や各給湯器１〜３とタンクユニット２２との間の配管経路などにより、配管や図示しないポンプなどの水回路内に空気が滞留してしまう。
【０００６】
そこで、施工後に施工業者などは、全ての給湯器１〜３の空気抜きをするために全ての給湯器１〜３を同時に給湯用水を循環させる。しかし、図８に示す如く、タンクユニット２２に一番近い給湯器３の空気は容易に抜けるが、タンクユニット２２から遠い給湯器１または２の空気は、給湯器３の流量が影響してなかなか貯湯タンク２３へ排出されないという問題点がある。
【０００７】
本発明は、上記従来技術の問題点に鑑みて成されたものであり、その目的は、１つの貯湯タンクに複数台並列に接続した給湯器内の空気を、確実に抜くことのできる並列型複数給湯器を提供することにある。
【課題を解決するための手段】
【０００８】
本発明は上記目的を達成するために、請求項１ないし請求項４に記載の技術的手段を採用する。すなわち、請求項１に記載の発明では、低温側の熱を高温側に移動させる蒸気圧縮式のヒートポンプサイクルにて給湯用水を加熱する給湯器（１〜３）を、１つの貯湯タンク（２３）に複数台並列に接続して成る並列型複数給湯器において、給湯器（１〜３）に滞留する空気を抜くための空気抜き制御であり、
給湯器（１〜３）に備えられ、給湯用水の流量を可変可能なポンプ（１９〜２１）と、ポンプ（１９〜２１）の作動を制御する制御手段（２６〜２９）とを備え、制御手段（２６〜２９）は空気抜き制御として、空気抜きを行う給湯器（１〜３）は給湯用水の流量を多くして流通させ、他の給湯器（１〜３）は給湯用水の流量を少なくして流通させる空気抜き循環を、所定時間毎に給湯器（１〜３）に対して順次行うことを特徴としている。
【０００９】
この請求項１に記載の発明によれば、空気抜きを行う給湯器（１〜３）以外の給湯器（１〜３）は、流量を少なくして流通させることにより、空気が流入することを防止しつつ、空気抜きを行う給湯器（１〜３）は流量を多くして流通させることで、給湯器（１〜３）内の空気を確実に排出するようにしている。そして、この空気抜き循環を複数台の給湯器（１〜３）について所定時間毎に順次行うことにより、並列型複数給湯器内の空気を確実に抜くことができる。
【００１０】
また、請求項２に記載の発明では、低温側の熱を高温側に移動させる蒸気圧縮式のヒートポンプサイクルにて給湯用水を加熱する給湯器（１〜３）を、１つの貯湯タンク（２３）に複数台並列に接続して成る並列型複数給湯器において、給湯器（１〜３）に滞留する空気を抜くための空気抜き制御であり、
給湯器（１〜３）に備えられ、給湯用水の流量を可変可能な流量調整手段（３０〜３２）と、貯湯タンク（２３）に備えられ、給湯用水を循環させるポンプ（１９）と、流量調整手段（３０〜３２）とポンプ（１９）との作動を制御する制御手段（２６〜２９）とを備え、制御手段（２６〜２９）は空気抜き制御として、空気抜きを行う給湯器（１〜３）は給湯用水の流量を多くして流通させ、他の給湯器（１〜３）は給湯用水の流量を少なくして流通させる空気抜き循環を、所定時間毎に給湯器（１〜３）に対して順次行うことを特徴としている。
【００１１】
この請求項２に記載の発明によれば、空気抜きを行う給湯器（１〜３）以外の給湯器（１〜３）は、流量を少なくして流通させることにより、空気が流入することを防止しつつ、空気抜きを行う給湯器（１〜３）は流量を多くして流通させることで、給湯器（１〜３）内の空気を確実に排出するようにしている。そして、この空気抜き循環を複数台の給湯器（１〜３）について所定時間毎に順次行うことにより、並列型複数給湯器内の空気を確実に抜くことができる。
【００１２】
また、請求項３に記載の発明では、給湯器（１〜３）毎に空気抜き時の流量を設定したことを特徴としている。この請求項３に記載の発明によれば、各給湯器（１〜３）と貯湯タンク（２３）間の配管長が分かる場合は、配管が長い給湯器（１〜３）においては空気抜きのための流量を高め（流量大）とし、配管が短い給湯器（１〜３）においてはそれよりも流量を若干低め（流量小）として設定することにより、空気抜き時の騒音を低減することができる。
【００１３】
また、請求項４に記載の発明では、給湯器（１〜３）毎に空気抜きにかける所定時間を設定したことを特徴としている。この請求項４に記載の発明によれば、各給湯器（１〜３）と貯湯タンク（２３）間の配管長が分かる場合は、配管が長い給湯器（１〜３）においては空気抜きのための所定時間を長めとし、配管が短い給湯器（１〜３）においてはそれよりも所定時間を若干短めとして設定することにより、空気抜き時間を短縮することができる。ちなみに、上記各手段の括弧内の符号は、後述する実施形態に記載の具体的手段との対応関係を示す一例である。
【発明を実施するための最良の形態】
【００１４】
（第１実施形態）
以下、本発明の実施の形態について図面を用いて詳細に説明する。図１は、本発明の第１実施形態における並列型複数給湯器の概略構成を示す模式図である。尚、本実施形態の並列型複数給湯器は、ファミリーレストランや飲食店舗などに設置されて業務用給湯機として使用されるものである。
【００１５】
本実施形態において２３は、給湯用水を貯留する貯湯タンクであり、この１つの貯湯タンク２３に接続された流水配管Ｃ・Ｈに、３台（複数台）の給湯用水の加熱手段である後述する超臨界ヒートポンプサイクルのヒートポンプユニット（給湯器）１〜３を並列に接続している。
【００１６】
貯湯タンク２３は、耐蝕性に優れた金属製（例えばステンレス製）で断熱構造を有し、高温の給湯用水を長時間に渡って保温することができる。貯湯タンク２３に貯留される給湯用水は、使用時に冷水と混合して温度調節した後、主にキッチンなどで使用されるが、給湯用以外にも、例えば床暖房用や室内空調用などの熱源として利用することもできる。
【００１７】
尚、貯湯タンク２３の下側給水路に設けられた２４は、貯湯タンク２３を守るため水道から給水される冷水の圧力を下げるための減圧弁である。貯湯タンク２３へは、この減圧弁２４を介して水道圧が掛かるため、貯湯タンク２３から出力される給湯圧力はこの減圧弁２４の設定圧力となる。また、貯湯タンク２３の上側給湯路から分岐して設けられた２５は、本発明に係わる空気抜き作業を行うときに手動で開ける逃がし弁である。これらを含め、１点鎖線で囲った部分がタンクユニット２２として構成されている。
【００１８】
流水配管Ｃ・Ｈは、貯湯タンク２３と後述する水熱交換器（放熱器）７〜９とを接続する冷水配管Ｃと温水配管Ｈとで構成される。冷水配管Ｃは、一端が貯湯タンク２３の下部に設けられた冷水出口２３aに接続され、他端が水熱交換器７〜９に設けられた図示しない水通路の入口に接続されている。また、温水配管Ｈは、一端が水熱交換器７〜９に設けられた図示しない水通路の出口に接続され、他端が貯湯タンク２３の上部に設けられた温水入口２３ｂに接続されている。
【００１９】
各ヒートポンプユニット１〜３内に構成するそれぞれの超臨界ヒートポンプサイクルは、圧縮機４〜６、水熱交換器７〜９、減圧手段としての可変式膨張弁１０〜１２、空気熱換器（蒸発器）１３〜１５、アキュームレータ１６〜１８、これらの機器を繋ぐ冷媒配管などによって構成され、冷媒として臨界温度の低い二酸化炭素（ＣＯ２）冷媒が封入されている。
【００２０】
圧縮機４〜６は、内蔵する図示しないモータによって駆動され、吸引したガス冷媒を臨界圧力以上まで圧縮して吐出する。そして、圧縮機４〜６の冷媒吐出量は、モータの回転数に応じて可変され、モータの回転数は給湯器ＥＣＵ（制御手段）２７〜２９により通電制御される。
【００２１】
水熱交換器７〜９は、圧縮機４〜６で加圧された高温高圧のガス冷媒と、貯湯タンク２３から供給される給湯用水とが熱交換するもので、前述した水通路に隣接して図示しない冷媒通路が設けられ、その冷媒通路を流れる冷媒の流れ方向と水通路を流れる給湯用水の流れ方向とが対向するように構成されている。
【００２２】
可変式膨張弁１０〜１２は、水熱交換器７〜９と空気熱交換器１３〜１５との間に設けられ、水熱交換器７〜９で冷却された冷媒を減圧して空気熱交換器１３〜１５に供給する。この可変式膨張弁１０〜１２は、弁開度を電気的に調整可能な構成を有し、給湯器ＥＣＵ２７〜２９により通電制御される。
【００２３】
空気熱交換器１３〜１５は、外気ファン１３ａ〜１５ａによる送風を受けて、可変式膨張弁１０〜１２で減圧された冷媒を外気との熱交換によって蒸発させる。尚、外気ファン１３ａ〜１５ａは給湯器ＥＣＵ２７〜２９により通電制御される。また、アキュームレータ１６〜１８は、空気熱交換器１３〜１５で蒸発した冷媒を気液分離してサイクル中の余剰冷媒を蓄えると共に、ガス冷媒のみ圧縮機４〜６に吸引させる。
【００２４】
また、各ヒートポンプユニット１〜３には、それぞれ給湯用水を流通させる給水ポンプ（ポンプ）１９〜２１を備えている。給水ポンプ１９〜２１は、図１に矢印で示すように、貯湯タンク２３内の給湯用水が冷水出口６aを経て冷水配管Ｃからヒートポンプユニット１〜３に分配され、水熱交換器７〜９の水通路を流通してから温水配管Ｈに集合して温水入口６ｂを経て貯湯タンク６へ還流する様に水流を発生させる。
【００２５】
この給水ポンプ１９〜２１は、内蔵する図示しないモータの回転数に応じて流水量を調節することができ、給湯器ＥＣＵ２７〜２９により通電制御される。また、タンクユニット２２内に内蔵されて並列型複数給湯器全体の作動を制御するタンクＥＣＵ（制御手段）２６を有し、図示しない操作パネルからの信号が入力されると共に、各給湯器ＥＣＵ２７〜２９とも通信して作動信号を出すようになっている。また、図示しないセンサー群で検出された信号はタンクＥＣＵ２６もしくは各給湯器ＥＣＵ２７〜２９に入力される。
【００２６】
次に、全体制御の概略について説明する。図２は、図１の実施形態におけるタンクＥＣＵ２６の全体制御の概略を示すフローチャートである。まず、ステップＳ１では各ＥＣＵ２６〜２９の制御状態やタイマ変数を初期化すると共に、タンクＥＣＵ２６では内部の設定スイッチなどで設定されたヒートポンプユニットの接続台数を認識する。
【００２７】
そして、ステップＳ２では、図示しない操作パネルやセンサー群などからの入力処理を行う。ステップＳ３では、沸き上げ指令が入力されているか否かの判定を行い、その判定結果がＹＥＳで沸き上げ指令が入力されている場合はステップＳ４へ進み、通常の沸き上げ制御を行う。
【００２８】
通常の沸き上げ運転は、冷媒が圧縮機４〜６により加圧されて高温高圧となり、水熱交換器７〜９で給湯用水に放熱して冷却され、可変式膨張弁１０〜１２に供給され、可変式膨張弁１０〜１２の開度に応じて減圧される。減圧された低温低圧の冷媒は、空気熱交換器１３〜１５（外気ファン１３ａ〜１５ａ：稼動）で外気より吸熱して蒸発し、アキュームレータ１６〜１８で気液分離された後、ガス冷媒のみ圧縮機４〜６に吸引されるサイクルを、状況に応じて必要な台数にて繰り返す。
【００２９】
給湯用水は、給水ポンプ１９〜２１で加圧され、水熱交換器７〜９で冷媒から吸熱して温水となり、貯湯タンク２３へ送られて貯められる。沸き上げ温度については、図示しない沸き上げ温度センサーにて湯温を検出し、給水ポンプ１９〜２１にて循環流量を調整して温度コントロールを行う。そして、貯湯タンク２３内が全て温水となって、冷水配管Ｃ側からの給水温度が高くなったことを図示しない水温センサーで検出したら、冷媒および給湯用水の循環を停止させる。
【００３０】
ステップＳ３での判定結果がＮＯで沸き上げ指令が入力されていない場合はステップＳ５へ進み、空気抜き指令が入力されているか否かの判定を行う。その判定結果がＹＥＳで空気抜き指令が入力されている場合はステップＳ６へ進み、後述する空気抜き制御を行う。また、ステップＳ５での判定結果がＮＯで空気抜き指令も入力されていない場合はステップＳ７へ進み、停止制御を行うと共に、本フローを繰り返して入力を待機することとなる。
【００３１】
次に、本発明に係わる空気抜き制御について説明する。図３は、図２のフローチャートにおけるステップＳ６・空気抜き制御の概略を示すフローチャートである。まずステップＳ１１では、１台目の空気抜き作動として、ヒートポンプユニット１の給水ポンプ１９を流量略１００％にて運転して空気抜きを行うと共に、他のヒートポンプユニット２・３の給水ポンプ２０・２１は１００％よりも低い所定流量にて運転し、空気が流入するのを防止する。図４は図３の空気抜き制御における第１ヒートポンプユニット１の空気抜き状況を示す模式図である。
【００３２】
次のステップＳ１２では、１台目の空気抜き作動が完了したか否かの判定を行い、その判定結果がＹＥＳになるまでステップＳ１１の空気抜き作動を続行する。図５は図３のフローチャートにおける空気抜き制御の概略を示すタイムチャートである。実際には空気抜き作動を所定時間（図４のタイムチャートでは５分）だけ行うため、タイムアップしたら次のスイップＳ１３へと進む。
【００３３】
ステップＳ１３では、２台目の空気抜き作動として、ヒートポンプユニット２の給水ポンプ２０を流量略１００％にて運転して空気抜きを行うと共に、他のヒートポンプユニット１・３の給水ポンプ１９・２１は１００％よりも低い所定流量にて運転し、空気が流入するのを防止する。次のステップＳ１４では、２台目の空気抜き作動が完了したか否かの判定を行い、その判定結果がＹＥＳになるまでステップＳ１３の空気抜き作動を続行する。そして、所定時間がタイムアップしたら次のスイップＳ１５へと進む。
【００３４】
ステップＳ１５では、３台目の空気抜き作動として、ヒートポンプユニット３の給水ポンプ２１を流量略１００％にて運転して空気抜きを行うと共に、他のヒートポンプユニット１・２の給水ポンプ１９・２０は１００％よりも低い所定流量にて運転し、空気が流入するのを防止する。次のステップＳ１６では、３台目の空気抜き作動が完了したか否かの判定を行い、その判定結果がＹＥＳになるまでステップＳ１５の空気抜き作動を続行する。そして、所定時間がタイムアップしたら次のスイップＳ１７へと進み、各給水ポンプ１９〜２１を停止させて本空気抜き制御を終了するものである。
【００３５】
次に、本実施形態での特徴と、その効果について述べる。ヒートポンプユニット１〜３に備えられ、給湯用水の流量を可変可能な給水ポンプ１９〜２１と、給水ポンプ１９〜２１の作動を制御するＥＣＵ２６〜２９とを備え、ＥＣＵ２６〜２９は空気抜き制御として、空気抜きを行うヒートポンプユニット１〜３は給湯用水の流量を多くして流通させ、他のヒートポンプユニット１〜３は給湯用水の流量を少なくして流通させる空気抜き循環を、所定時間毎にヒートポンプユニット１〜３に対して順次行うようにしている。
【００３６】
これによれば、空気抜きを行うヒートポンプユニット１〜３以外のヒートポンプユニット１〜３は、流量を少なくして流通させることにより、空気が流入することを防止しつつ、空気抜きを行うヒートポンプユニット１〜３は流量を多くして流通させることで、ヒートポンプユニット１〜３内の空気を確実に排出するようにしている。そして、この空気抜き循環を複数台のヒートポンプユニット１〜３について所定時間毎に順次行うことにより、並列型複数給湯器内の空気を確実に抜くことができる。
【００３７】
尚、ヒートポンプユニット１〜３毎に空気抜き時の流量を設定しても良い。これによれば、各ヒートポンプユニット１〜３と貯湯タンク２３間の配管長が分かる場合は、配管が長いヒートポンプユニット１〜３においては空気抜きのための流量を高め（流量大）とし、配管が短いヒートポンプユニット１〜３においてはそれよりも流量を若干低め（流量小）として設定することにより、空気抜き時の騒音を低減することができる。
【００３８】
また、ヒートポンプユニット１〜３毎に空気抜きにかける所定時間を設定しても良い。これによれば、各ヒートポンプユニット１〜３と貯湯タンク２３間の配管長が分かる場合は、配管が長いヒートポンプユニット１〜３においては空気抜きのための所定時間を長めとし、配管が短いヒートポンプユニット１〜３においてはそれよりも所定時間を若干短めとして設定することにより、空気抜き時間を短縮することができる。
【００３９】
（第２実施形態）
図６は、本発明の第２実施形態における並列型複数給湯器の概略構成を示す模式図である。上述した第１実施形態と異なるのは、各ヒートポンプユニット１〜３内に給水ポンプはなく、タンクユニット２２側に各ヒートポンプユニット１〜３へ水を送る給水ポンプ１９を配置すると共に、各ヒートポンプユニット１〜３の水回路には給水ポンプの代わりに流量調整弁（流量調整手段）３０〜３２を配設したものである。
【００４０】
よって、給水ポンプ１９はタンクＥＣＵ２６によって制御され、各流量調整弁３０〜３２は各給湯器ＥＣＵ２７〜２９によって制御される。その他の部分は第１実施形態と同様のため、説明を省略する。この構成にて、空気抜き対象のヒートポンプユニット１〜３の流量調整弁３０〜３２は弁開度を最大側とし、他のヒートポンプユニット１〜３の流量調整弁３０〜３２は弁開度を絞ることで、図３で説明した空気抜き制御を行うものである。
【００４１】
次に、本実施形態での特徴と、その効果について述べる。ヒートポンプユニット１〜３に備えられ、給湯用水の流量を可変可能な流量調整弁３０〜３２と、貯湯タンク２３に備えられ、給湯用水を循環させる給水ポンプ１９と、流量調整弁３０〜３２と給水ポンプ１９との作動を制御するＥＣＵ２６〜２９とを備え、ＥＣＵ２６〜２９は空気抜き制御として、空気抜きを行うヒートポンプユニット１〜３は給湯用水の流量を多くして流通させ、他のヒートポンプユニット１〜３は給湯用水の流量を少なくして流通させる空気抜き循環を、所定時間毎にヒートポンプユニット１〜３に対して順次行うようにしている。
【００４２】
これによれば、空気抜きを行うヒートポンプユニット１〜３以外のヒートポンプユニット１〜３は、流量を少なくして流通させることにより、空気が流入することを防止しつつ、空気抜きを行うヒートポンプユニット１〜３は流量を多くして流通させることで、ヒートポンプユニット１〜３内の空気を確実に排出するようにしている。そして、この空気抜き循環を複数台のヒートポンプユニット１〜３について所定時間毎に順次行うことにより、並列型複数給湯器内の空気を確実に抜くことができる。
【００４３】
（他の実施形態１）
図７は、本発明の他の施形態における並列型複数給湯器の概略構成を示す模式図である。効率が良く、熱交換能力に優れた給湯器とすることを図ったもので、貯湯タンク２３内に二重管構造の熱交換器２９を配設し、電動ポンプ３０によって循環される湯と水道から供給される冷水とを熱交換して給湯するものである。本発明の空気抜き制御は、このような構成の並列型複数給湯器に適用しても良い。
【００４４】
（その他の実施形態）
本発明は、上述した実施形態に限定されるものではなく、上述の実施形態では超臨界ヒートポンプサイクルとしているが、通常のフロン冷媒などを用いた臨界圧以下のヒートポンプサイクルであっても良い。また、上述の実施形態では冷媒の減圧手段として可変式膨張弁を用いているが、エジェクタを用いたヒートポンプサイクルであっても良い。
【図面の簡単な説明】
【００４５】
【図１】本発明の第１実施形態における並列型複数給湯器の概略構成を示す模式図である。
【図２】図１の実施形態におけるタンクＥＣＵ２６の全体制御の概略を示すフローチャートである。
【図３】図２のフローチャートにおける本発明の空気抜き制御の概略を示すフローチャートである。
【図４】図３の空気抜き制御における第１ヒートポンプユニット１の空気抜き状況を示す模式図である。
【図５】図３のフローチャートにおける空気抜き制御の概略を示すタイムチャートである。
【図６】本発明の第２実施形態における並列型複数給湯器の概略構成を示す模式図である。
【図７】本発明の他の施形態における並列型複数給湯器の概略構成を示す模式図である。
【図８】従来の問題点を示す並列型複数給湯器の概略模式図である。
【符号の説明】
【００４６】
１…第１ヒートポンプユニット（給湯器）
２…第２ヒートポンプユニット（給湯器）
３…第３ヒートポンプユニット（給湯器）
１９…第１給水ポンプ（ポンプ）
２０…第２給水ポンプ（ポンプ）
２１…第３給水ポンプ（ポンプ）
２３…貯湯タンク
２６…タンクＥＣＵ（制御手段）
２７…第１給湯器ＥＣＵ（制御手段）
２８…第２給湯器ＥＣＵ（制御手段）
２９…第３給湯器ＥＣＵ（制御手段）
３０…第１流量制御弁（流量調整手段）
３１…第２流量制御弁（流量調整手段）
３２…第３流量制御弁（流量調整手段）
【図１】
2006029658.tif 000003
【図２】
2006029658.tif 000004
【図３】
2006029658.tif 000005
【図４】
2006029658.tif 000006
【図５】
2006029658.tif 000007
【図６】
2006029658.tif 000008
【図７】
2006029658.tif 000009
【図８】
2006029658.tif 000010